【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
ポリエステルおよびポリエステルコポリマーから選択される第１層材料を含む第１層と、
ポリアミドおよびポリアミドコポリマーから選択される第２層材料を含む第２層と、
接着材料を含む第３層と、
前記第１層、第２層、および第３層は共押出成形されることと
を含む壁部を有する医療用具。
【請求項２】
前記第３層が第１層と第２層との間に配置される請求項１に記載の医療用具。
【請求項３】
前記第１層が前記第３層の第１の面に沿って配置され、前記第２層が前記第３層の第２の面に沿って配置される、請求項１に記載の医療用具。
【請求項４】
前記第１層の厚さが、壁部の厚さ全体の約５０％以上である請求項１に記載の医療用具。
【請求項５】
前記第２層の厚さが、壁部の厚さ全体の約２０％未満である請求項１に記載の医療用具。
【請求項６】
前記接着材料が接着性ポリマーからなる請求項１に記載の医療用具。
【請求項７】
前記接着性ポリマーがエチレン酢酸ビニルポリマーからなる請求項６に記載の医療用具。
【請求項８】
前記第３層の厚さが約０．１２７ｍｍ（約０．００５インチ）未満である請求項１に記載の医療用具。
【請求項９】
前記医療用具が、バルーン、チューブ、カテーテルシャフトから選択される用具を含む請求項１に記載の医療用具。
【請求項１０】
前記医療用具がバルーンを含む請求項１に記載の医療用具。
【請求項１１】
前記バルーンの直径が約１ｍｍ以上である請求項１０に記載の医療用具。
【請求項１２】
前記第１層材料と第２層材料が二軸配向される請求項１に記載の医療用具。
【請求項１３】
前記壁部がさらに接着材料からなる別の複数の層を備え、これらの層は、ポリエステル、ポリエステルコポリマー、ポリアミド、およびポリアミドコポリマーから選択される材料を含み、
壁部の各層は共押出成形されていることと、壁部の層は交互に接着材料を含むことと
からなる請求項１に記載の医療用具。
【請求項１４】
ポリエステルおよびポリエステルコポリマーから選択される第１層材料を含む第１層と、
ポリアミドおよびポリアミドコポリマーから選択される第２層材料を含む第２層と、
接着材料を含む第３層と、
前記第１層の厚さは、壁部の厚さ全体の約５０％以上であることと
を含む壁部を有する医療用具。
【請求項１５】
前記第１層の厚さが、壁部の厚さ全体の約６０％以上である請求項１４に記載の医療用具。
【請求項１６】
前記第１層の厚さが、壁部の厚さ全体の約７０％以上である請求項１４に記載の医療用具。
【請求項１７】
前記第３層が第１層と第２層との間に配置される請求項１４に記載の医療用具。
【請求項１８】
前記第１層が前記第３層の第１の面に沿って配置され、前記第２層が前記第３層の第２の面に沿って配置される、請求項１４に記載の医療用具。
【請求項１９】
前記第２層の厚さが、壁部の厚さ全体の約２０％未満である請求項１４に記載の医療用具。
【請求項２０】
前記接着材料が接着性ポリマーを含む請求項１４に記載の医療用具。
【請求項２１】
前記接着性ポリマーがエチレン酢酸ビニルポリマーからなる請求項２０に記載の医療用具。
【請求項２２】
前記第３層の厚さが約０．１２７ｍｍ（約０．００５インチ）未満である請求項１４に記載の医療用具。
【請求項２３】
前記医療用具が、バルーン、チューブ、カテーテルシャフトから選択される用具を含む請求項１４に記載の医療用具。
【請求項２４】
前記医療用具がバルーンを含む請求項１４に記載の医療用具。
【請求項２５】
前記バルーンの直径が約１ｍｍ以上である請求項２４に記載の医療用具。
【請求項２６】
前記第１層材料と第２層材料が二軸配向される請求項１４に記載の医療用具。
【請求項２７】
前記壁部が、接着材料からなる別の複数の層を備え、これらの層が、ポリエステル、ポリエステルコポリマー、ポリアミド、およびポリアミドコポリマーから選択される材料からなり、
前記壁部の各層が共押出成形され、前記壁部の層は交互に接着材料を含むことと
からなる請求項１４に記載の医療用具。
【請求項２８】
ポリエステルおよびポリエステルコポリマーから選択される第１層材料を含む第１層と、
ポリアミドおよびポリアミドコポリマーから選択される第２層材料を含む第２層と、
接着材料を含む第３層と、
前記第３層の厚さは、壁部の厚さ全体の約２０％未満であることと
を含む壁部を有する医療用具。
【請求項２９】
前記第３層の厚さが、壁部の厚さ全体の約１０％未満である請求項２８に記載の医療用具。
【請求項３０】
前記第３層の厚さが、壁部の厚さ全体の約５％未満である請求項２８に記載の医療用具。
【請求項３１】
前記第３層が第１層と第２層との間に配置される請求項２８に記載の医療用具。
【請求項３２】
前記第１層が前記第３層の第１の面に沿って配置され、前記第２層が前記第３層の第２の面に沿って配置される、請求項２８に記載の医療用具。
【請求項３３】
前記接着材料が接着性ポリマーを含む請求項２８に記載の医療用具。
【請求項３４】
前記接着性ポリマーがエチレン酢酸ビニルポリマーからなる請求項３３に記載の医療用具。
【請求項３５】
前記第３層の厚さが約０．１２７ｍｍ（約０．００５インチ）未満である請求項２８に記載の医療用具。
【請求項３６】
前記医療用具が、バルーン、チューブ、カテーテルシャフトから選択される用具を含む請求項２８に記載の医療用具。
【請求項３７】
前記医療用具がバルーンを含む請求項２８に記載の医療用具。
【請求項３８】
前記バルーンの直径が約１ｍｍ以上である請求項３７に記載の医療用具。
【請求項３９】
前記第１層材料および第２層材料が二軸配向される請求項２８に記載の医療用具。
【請求項４０】
前記壁部がさらに接着材料からなる別の複数の層を備え、これらの層が、ポリエステル、ポリエステルコポリマー、ポリアミド、ポリアミドコポリマーから選択される材料を含み、
壁部の各層は共押出成形され、壁部の層は交互に接着材料を含むことと
からなる請求項２８に記載の医療用具。
【請求項４１】
ポリエステルおよびポリエステルコポリマーから選択される第１層材料を含む第１層と、
ポリアミドおよびポリアミドコポリマーから選択される第２層材料を含む第２層と、
接着材料を含む第３層と、
前記第３層の厚さは約０．１２７ｍｍ（約０．００５インチ）未満であることと
を含む壁部を有する医療用具。
【請求項４２】
前記第３層の厚さが約０．１０２ｍｍ（約０．００４インチ）未満である請求項４１に記載の医療用具。
【請求項４３】
前記第３層の厚さが約０．０７６ｍｍ（約０．００３インチ）未満である請求項４１に記載の医療用具。
【請求項４４】
前記第３層が第１層と第２層との間に配置される請求項４１に記載の医療用具。
【請求項４５】
前記第１層が前記第３層の第１の面に沿って配置され、前記第２層が前記第３層の第２の面に沿って配置される、請求項４１に記載の医療用具。
【請求項４６】
前記接着材料が接着性ポリマーを含む請求項４１に記載の医療用具。
【請求項４７】
前記接着性ポリマーがエチレン酢酸ビニルポリマーからなる請求項４１に記載の医療用具。
【請求項４８】
前記医療用具が、バルーン、チューブ、カテーテルシャフトから選択される用具を含む請求項４１に記載の医療用具。
【請求項４９】
前記医療用具がバルーンを含む請求項４１に記載の医療用具。
【請求項５０】
前記バルーンの直径が約１ｍｍ以上である請求項４９に記載の医療用具。
【請求項５１】
前記第１層材料および第２層材料が二軸配向される請求項４１に記載の医療用具。
【請求項５２】
前記壁部がさらに接着材料からなる別の複数の層を備え、これらの層は、ポリエステル、ポリエステルコポリマー、ポリアミド、ポリアミドコポリマーから選択される材料を含み、
壁部の各層は共押出成形され、前記壁部の層は交互に接着材料を含むことと
からなる、請求項４１に記載の医療用具。
【請求項５３】
管状体形成方法であって、
第１材料、第２材料、および第３材料を共押出成形して、第１層、第２層、および第３層を備えた管状体の壁部を形成する工程であって、前記第１層は、ポリエステルおよびポリエステルコポリマーから選択される第１層材料を含むことと、前記第２層は、ポリアミドおよびポリアミドコポリマーから選択される第２層材料を含むことと、前記第３層は接着材料を含むことと、
前記第１層はポリエステルを含み、前記第２層はポリアミドを含み、前記第３層は接着剤を含むことと
からなる方法。
【請求項５４】
前記第１層材料が、共押出成形中に約２３０〜３１５℃に加熱される請求項５３に記載の方法。
【請求項５５】
前記第２層材料が、共押出成形中に約１９０〜２４５℃に加熱される請求項５３に記載の方法。
【請求項５６】
前記接着剤が、共押出成形中に約１７５〜２３０℃に加熱される請求項５３に記載の方法。
【請求項５７】
共押出成形中に、第１層材料に対して約３．４４８ＭＰａ（約５００ｐｓｉ）以上の圧力が付与される請求項５３に記載の方法。
【請求項５８】
共押出成形中に、第２層材料に対して約１．７２４ＭＰａ（約２５０ｐｓｉ）以上の圧力が付与される請求項５３に記載の方法。
【請求項５９】
共押出成形中に、前記接着剤に対して約１．７２４ＭＰａ（約２５０ｐｓｉ）以上の圧力が付与される請求項５３に記載の方法。
【請求項６０】
前記方法が、共押出成形された管状体を引っ張る工程をさらに含む請求項５３に記載の方法。
【請求項６１】
前記押出成形された管状体が、約３．０４８ｍ／分（約１０フィート／分）で引っ張られる請求項５３に記載の方法。
【請求項６２】
前記引っ張られた管状体に約２５℃未満の温度の槽を通過させる工程をさらに含む請求項６１に記載の方法。
【請求項６３】
前記共押出成形された管状体から医療用具を形成する工程をさらに含む請求項６２に記載の方法。
【請求項６４】
前記医療用具がバルーンを含む請求項６３に記載の方法。
【請求項６５】
前記医療用具を約５０℃以上に加熱する工程をさらに含む請求項６３に記載の方法。
【請求項６６】
前記医療用具が約１０秒以上加熱される請求項６５に記載の方法。
【請求項６７】
前記医療用具が、約６８９．５ｋＰａ（約１００ｐｓｉ）以上の圧力下で加熱される請求項６５に記載の方法。
【請求項６８】
管状体形成方法であって、
ポリマーからなる複数層を共押出成形し、管状体の壁部を形成する工程と、
同管状体からバルーンを形成する工程と、
前記バルーンを約３４４．７５ｋＰａ（約５０ｐｓｉ）以上の圧力下で約５０℃以上の温度に加熱する工程と
を含む方法。
【請求項６９】
前記バルーンが約１００℃以上の温度に加熱される請求項６８に記載の方法。
【請求項７０】
前記バルーンが約２００℃以上の温度に加熱される請求項６８に記載の方法。
【請求項７１】
前記バルーンが、約６８９．５ｋＰａ（約１００ｐｓｉ）以上の圧力下で加熱される請求項６８に記載の方法。
【請求項７２】
前記バルーンが、約１．３７９ＭＰａ（約２００ｐｓｉ）以上の圧力下で加熱される請求項６８に記載の方法。
【請求項７３】
前記バルーンが約１０秒以上加熱される請求項６８に記載の方法。
【請求項７４】
壁部を有するバルーンであって、
前記壁部は、ポリエステルおよびポリエステルコポリマーから選択される第１層材料を含む第１層と、ポリアミドおよびポリアミドコポリマーから選択される第２層材料を含む第２層と、接着材料を含む第３層とを含むことと、
前記バルーンは、約４ｍｍより大きな直径を有し、約１．３７９ＭＰａ（約２００ｐｓｉ）より高い破裂圧を有し、約２％より高いコンプライアンスを有し、前記第１層、第２層、および第３層は共押出成形されることと
からなるバルーン。
【請求項７５】
前記破裂圧が約１．５５１ＭＰａ（約２２５ｐｓｉ）より高い請求項７４に記載のバルーン。
【請求項７６】
前記破裂圧が約１．７２４ＭＰａ（約２５０ｐｓｉ）より高い請求項７４に記載のバルーン。
【請求項７７】
前記コンプライアンスが約２．２５％より高い請求項７４に記載のバルーン。
【請求項７８】
前記コンプライアンスが約２．５％より高い請求項７４に記載のバルーン。
【請求項７９】
前記直径が約４．２５ｍｍより大きい請求項７４に記載のバルーン。
【請求項８０】
前記直径が約４．５ｍｍより大きい請求項７４に記載のバルーン。